(57)【要約】【課題】再生時間の内から予め指定された指定時間とその時間に再生される画像とを一緒に表示し、ユーザが所望のシーンからタイムサーチ再生できるように構成した光ディスク装置を提供する。【解決手段】制御部６は記憶部１１に記録されている再生経過情報の指定時間とその再生経過情報に対応する画像とを示すＯＳＤ表示信号を生成して出力するようＯＳＤ処理部８に指示する。これにより、テレビジョン１０１において、図７に示す指定時間の選択画面が表示される。ユーザは図７の選択画面を見ながら、指定時間の一覧から１つの指定時間を、選択キーで選択入力する。この際、各指定時間毎に、対応する画像を表示しているので、ユーザは所望のシーンが再生される指定時間を選択入力することができる。そして、制御部６は選択入力された指定時間から再生するようＰＵヘッド２に指示する。これにより、ユーザは所望のシーンからタイムサーチ再生することができる。【選択図】  図７
2008159143.tif 000002
【特許請求の範囲】
【請求項１】
装置本体にセットされている光ディスクにピックアップからレーザ光を照射し、その光ディスクからデータを読取って再生する再生手段と、
前記光ディスクに記録されているデータの再生時間の内から所定時間の入力を受付けるとともに、その所定時間から再生するタイムサーチ再生の指示を受付ける操作手段と、
前記操作手段で前記タイムサーチ再生が指示されると、前記所定時間から再生するよう前記再生手段に指示する再生制御手段と、を備えた光ディスク装置において、
前記操作手段は、前記再生手段による前記光ディスクの再生中に、前記指定時間を指定して登録するための登録キーを有し、
前記再生時間の内から前記登録キーで指定された指定時間を示す再生経過情報と、該指定時間で再生される画像と、を対応付けて記憶する記憶手段を備え、
前記再生制御手段は、
光ディスクに予め記録されていて光ディスクの個体を一意に識別するＩＤを、前記登録キーで前記指定時間を指定した前記光ディスクから取得して、前記再生経過情報とともに前記記憶手段に記録し、
前記装置本体に現在セットされている光ディスクのＩＤと、前記記憶手段に記憶されているＩＤと、の両ＩＤが一致するかどうかを判定し、
（１）前記両ＩＤが一致していれば、前記操作手段で前記所定時間が入力される前に、前記記憶手段に記憶されている前記再生経過情報で示される前記指定時間と該再生経過情報に対応する画像とを示す表示信号を生成して出力し、
（２）前記両ＩＤが一致していなければ、前記表示信号の出力を禁止する光ディスク装置。
【請求項２】
装置本体にセットされている光ディスクにピックアップからレーザ光を照射し、その光ディスクからデータを読取って再生する再生手段と、
前記光ディスクに記録されているデータの再生時間の内から所定時間の入力を受付けるとともに、その所定時間から再生するタイムサーチ再生の指示を受付ける操作手段と、
前記操作手段で前記タイムサーチ再生が指示されると、前記所定時間から再生するよう前記再生手段に指示する再生制御手段と、を備えた光ディスク装置において、
前記再生時間の内から予め指定された指定時間を示す再生経過情報と、該指定時間で再生される画像と、を対応付けて記憶する記憶手段を備え、
前記再生制御手段は、前記操作手段で前記所定時間が入力される前に、前記記憶手段に記憶されている前記再生経過情報で示される前記指定時間と該再生経過情報に対応する画像とを示す表示信号を生成して出力する光ディスク装置。
【請求項３】
前記操作手段は、前記再生手段による前記光ディスクの再生中に、前記指定時間を指定して登録するための登録キーを有し、
前記再生制御手段は、
前記登録キーで指定された前記指定時間で再生される画像を、前記再生手段を介して取得し、
前記登録キーで指定された前記指定時間を示す再生経過情報と、該指定時間で再生される画像と、を対応付けて前記記憶手段に記録する請求項２に記載の光ディスク装置。
【請求項４】
前記再生制御手段は、
光ディスクに予め記録されていて光ディスクの個体を一意に識別するＩＤを、前記登録キーで前記指定時間を指定した前記光ディスクから取得して、前記再生経過情報とともに前記記憶手段に記録し、
前記表示信号を出力する前に、前記装置本体に現在セットされている光ディスクのＩＤと、前記記憶手段に記憶されているＩＤと、が一致するかどうかを判定し、これらが一致していなければ、前記表示信号の出力を禁止する請求項３に記載の光ディスク装置。
【発明の詳細な説明】
【技術分野】
【０００１】
本発明は、ＣＤ、ＤＶＤ等の光ディスクに記録されている映像や音声の再生を行う光ディスク装置に関し、特に、タイムサーチ再生機能を有する光ディスク装置に関するものである。
【背景技術】
【０００２】
従来、ＣＤ、ＤＶＤ等の光ディスクに記録されている映像や音声の再生を行う光ディスク装置が実用化され、一般に普及している。この従来の光ディスク装置の中には、タイムサーチ再生機能を有する光ディスク装置がある。このタイムサーチ再生とは、光ディスクに記録されているデータの再生時間の内から所定時間を入力して、途中から頭だしする再生である。この所定時間とは、光ディスクに記録されているデータをその先頭から再生した時の経過時間である。
【０００３】
このタイムサーチ再生機能では、前回の通常再生時に所望のシーン（場面）が再生されていたと思われる所定時間を、ユーザが光ディスク装置に入力する。
再生時間の内から所定時間が入力されると、光ディスク装置は、その所定時間から光ディスクを再生する。これにより、ユーザは、その所定時間で再生されるシーンから視聴していた。
一方、特許文献１では、再生装置が提案されている。
【特許文献１】特開２００６−１３９８４６公報
【発明の開示】
【発明が解決しようとする課題】
【０００４】
しかしながら、時間情報だけでは、その所定時間で再生されるシーンが分かり難い。そのため、タイムサーチ再生する際、ユーザは、適当に所定時間を入力せざるを得なかった。または、前回の通常再生時に再生した光ディスクの内容を手がかりに、即ち自身の記憶を手がかりに所定時間を入力せざるを得なかった。
従って、従来の光ディスク装置では、タイムサーチ再生においてユーザが所望のシーンから再生することが難しかった。また、その結果、従来の光ディスク装置では、タイムサーチ再生の利用率が低かった。
【０００５】
本発明はこのような従来の課題を解決しようとするものであり、再生時間の内から予め指定された指定時間とその時間に再生される画像とを一緒に表示し、ユーザが所望のシーンからタイムサーチ再生できるように構成した光ディスク装置を提供することを目的とする。
【課題を解決するための手段】
【０００６】
本発明の光ディスク装置は、前記課題を解決するために以下の構成を備えている。
【０００７】
（１）装置本体にセットされている光ディスクにピックアップからレーザ光を照射し、その光ディスクからデータを読取って再生する再生手段と、
前記光ディスクに記録されているデータの再生時間の内から所定時間の入力を受付けるとともに、その所定時間から再生するタイムサーチ再生の指示を受付ける操作手段と、
前記操作手段で前記タイムサーチ再生が指示されると、前記所定時間から再生するよう前記再生手段に指示する再生制御手段と、を備えた光ディスク装置において、
前記再生時間の内から予め指定された指定時間を示す再生経過情報と、該指定時間で再生される画像と、を対応付けて記憶する記憶手段を備え、
前記再生制御手段は、前記操作手段で前記所定時間が入力される前に、前記記憶手段に記憶されている前記再生経過情報で示される前記指定時間と該再生経過情報に対応する画像とを示す表示信号を生成して出力する。
【０００８】
まず、再生経過情報とその画像を記憶手段に記録する第１の場面と、記憶手段に記録されている再生経過情報の指定時間とその画像を表示してタイムサーチ再生する第２の場面と、に分かれる。
【０００９】
この構成では、第２の場面を想定している。
この構成における光ディスク装置は、タイムサーチ再生機能を有している。このタイムサーチ再生とは、光ディスクに記録されているデータの再生時間の内から所定時間を入力して、途中（即ち入力された所定時間）から頭だしする再生である。また、上記の表示信号は、ＯＳＤ（On Screen Display）の信号であっても良い。再生制御手段から出力された表示信号は、例えば、光ディスク装置に接続されている表示器に入力する。表示器は、例えばテレビジョン、モニタである。表示器は、この表示信号を処理して、記憶手段に記憶されている再生経過情報の指定時間と該再生経過情報に対応する画像とを表示する。
ユーザは、表示器の画面を見ながら、指定時間の一覧から１つの指定時間（所定時間）を、操作手段で選択入力する。この際、各指定時間毎に、対応する画像を表示しているので、ユーザは、所望のシーンが再生される指定時間を選択入力することができる。
そして、再生制御手段は、選択入力された指定時間から再生するよう再生手段に指示する。
これにより、ユーザは、所望のシーンからタイムサーチ再生することができる。従って、タイムサーチ再生の利用率も向上する。
【００１０】
（２）前記操作手段は、前記再生手段による前記光ディスクの再生中に、前記指定時間を指定して登録するための登録キーを有し、
前記再生制御手段は、
前記登録キーで指定された前記指定時間で再生される画像を、前記再生手段を介して取得し、
前記登録キーで指定された前記指定時間を示す再生経過情報と、該指定時間で再生される画像と、を対応付けて前記記憶手段に記録する。
【００１１】
この構成では、第１の場面を想定している。ユーザは、所望のシーンが再生される指定時間を登録キーで登録する。
この構成において、再生制御手段は、登録キーで指定時間が指定されると、該指定時間で再生される画像を再生手段から取得し、再生経過情報と画像とを対応付けて記憶手段に記録する。ここで登録された指定時間は、上記第２の場面で表示される。
これにより、上記第２の場面において、登録した指定時間と、その指定時間で再生される所望のシーンと、が表示器で表示される。
よって、ユーザは、所望のシーンからタイムサーチ再生することができる。従って、タイムサーチ再生の利用率が向上する。
【００１２】
（３）前記再生制御手段は、
光ディスクに予め記録されていて光ディスクの個体を一意に識別するＩＤを、前記登録キーで前記指定時間を指定した前記光ディスクから取得して、前記再生経過情報とともに前記記憶手段に記録し、
前記表示信号を出力する前に、前記装置本体に現在セットされている光ディスクのＩＤと、前記記憶手段に記憶されているＩＤと、が一致するかどうかを判定し、これらが一致していなければ、前記表示信号の出力を禁止する。
【００１３】
指定時間を登録した光ディスクと現在装置本体にセットされている光ディスクとが同一の光ディスクでない場合に、第１の場面で登録した指定時間を第２の場面で表示しても意味がない。また、この場合に、第１の場面で登録した指定時間を第２の場面で表示すると、却ってユーザを混乱させるおそれがある。
この構成においては、両ＩＤが一致するかどうか判定することにより、指定時間を登録した光ディスクと現在装置本体にセットされている光ディスクとが同一の光ディスクであるかどうかを判定している。
そして、指定時間を登録した光ディスクと現在装置本体にセットされている光ディスクとが同一の光ディスクである場合のみ、第１の場面で登録した指定時間を第２の場面で表示させている。そのため、間違った表示がなされることがない。
これにより、ユーザを混乱させずに済む。
なお、上記構成に次の構成を追加しても構わない。記憶手段は、不揮発性のメモリである。これにより、記憶手段に登録された内容は、電源がオフされても装置本体に保持される。
【発明の効果】
【００１４】
この発明によれば、ユーザは、所望のシーンからタイムサーチ再生することができる。従って、タイムサーチ再生の利用率も向上する。
【発明を実施するための最良の形態】
【００１５】
以下、本発明の実施形態である光ディスク装置について説明する。
【００１６】
図１は、本発明の実施形態である光ディスク装置の主要な構成を示すブロック図である。光ディスク装置１は、所謂ＤＶＤプレーヤであり、装置本体１の各部の動作を制御する制御部６と、光ディスク１００に対しデータの読取を行うピックアップヘッド２（以下、PUヘッド２と称する。）と、RFアンプなどの再生回路３と、ユーザの操作を受け付ける操作部１０と、装置本体１を遠隔操作するリモコン１２と、を備えている。さらに、光ディスク装置１は、情報を表示する表示部９と、データを記憶する記憶部１１と、音声データをアナログの再生音声信号に変換する音声処理部５と、画像データをアナログの再生画像信号に変換すると、ＯＳＤ画像を生成するOSD処理部８と、合成画像を生成する画像合成部１３と、を備えている。
【００１７】
光ディスク１００は、例えばＣＤ、又はＤＶＤである。
【００１８】
PUヘッド２は、図示しないレーザダイオード（ＬＤ）、コリメータレンズ、ビームスプリッタ、対物レンズ、フォトディテクタ、スレッドモータ、及びアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射時間を調節する。また、アクチュエータは、対物レンズを光ディスク１００に接離する方向、及び光ディスク１００の半径方向に移動させる。
【００１９】
再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２０】
再生回路３は、ＰＵヘッド２における複数の受光素子の出力に基づいてＲＦ信号を生成し、該ＲＦ信号を増幅する。そして、再生回路３は、該ＲＦ信号を処理して画像と音声のデータを取り出す。ここで、取り出される画像と音声のデータは、例えばMPEGでエンコードされている。そして、再生回路３は、これらのデータをデコードする。そして、再生回路３は、音声データを音声処理部５に、画像データを画像合成部１３に、これらのデータの同期を取りながら、それぞれ出力する。
【００２１】
音声処理部５は、音声データをアナログの再生音声信号に変換し、その再生音声信号を外部のテレビジョン１０１に出力する。
なお、テレビジョン１０１がディジタル対応（例えばＨＤＭＩ規格）であれば、ディジタルで出力しても構わない。
【００２２】
OSD処理部８は、不図示のＯＳＤ画像メモリ（不図示）を内蔵する。ＯＳＤ画像メモリは、例えばフラッシュメモリで構成される。OSD処理部８は、制御部６から与えられる制御信号に基づいて、ＯＳＤ画像メモリが記憶しているデータに基づいて文字又は図形のＯＳＤ画像を生成し、画像合成部１３へ出力する。
【００２３】
画像合成部１３は、制御部６から与えられる制御信号に基づいて、再生回路３から出力された画像データに基づく画像に、OSD処理部８から出力されたＯＳＤ画像を合成した合成画像を生成する。
【００２４】
そして、画像合成部１３は、この合成画像の信号をアナログの再生画像信号に変換し、外部のテレビジョン１０１に出力する。又は、画像合成部１３は、再生回路３から出力された画像データをアナログの再生画像信号に変換し、外部のテレビジョン１０１に出力する。又は、画像合成部１３は、OSD処理部８から出力されたＯＳＤ画像のデータをアナログの再生画像信号に変換し、外部のテレビジョン１０１に出力する。
なお、テレビジョン１０１がディジタル対応（例えばＨＤＭＩ規格）であれば、ディジタルで出力しても構わない。
【００２５】
音声処理部５及び画像合成部１３には、テレビジョン１０１が接続される。テレビジョン１０１は、光ディスク装置1から出力された信号を処理して、画像を画面上に表示したり音声を放音したりする。
【００２６】
ユーザは、このテレビジョン１０１において、音声処理部５及び画像合成部１３から出力された再生画像信号に基づく画像、及び再生音声信号に基づく音声を視聴することができる。
【００２７】
操作部１０は、ユーザが光ディスク装置１に対して各種の命令（コマンド）を入力するためのものである。操作部１０には、ユーザの操作を受け付ける複数のキーが設けられている。光ディスク装置１に対してユーザが入力したコマンドは制御部６に伝送される。
複数のキーの中には、光ディスク１００の再生を指示するための再生キー、光ディスク１００の再生等の停止を指示するための停止キー、再生中に、タイムサーチ再生に関する指定時間を指定して登録するための登録キー、タイムサーチ再生の指定時間の選択画面を表示するためのタイムサーチ再生キー、指定時間を選択して入力するための選択キー、が含まれる。
【００２８】
操作部１０には、リモコン信号検出部（不図示）が設けられている。リモコン信号検出部に対し、装置本体の外部からリモコン１２を用いて、電源のON／OFF、チャンネルの切替え、音量の調整等の命令が入力されると、リモコン信号検出部は、リモコン１２からの命令信号を受信して制御部６に伝送する。リモコン１２には、操作部１０と同様のキーが設けられている。
【００２９】
表示部９は、時刻、光ディスク装置１の設定状態などを表示する。
【００３０】
記憶部１１は、例えばハードディスクやＥＥＰＲＯＭで構成されており、装置本体１の主制御プログラムを記憶する。
【００３１】
制御部６は、例えばマイクロコンピュータで構成される。また、制御部６は、上記の主制御プログラムなどを展開するワークフィールドとしてのＲＡＭ（不図示）と、再生中に指定時間が１つ登録された場合にフラグを立たせるためのレジスタ（不図示）と、を内蔵する。制御部６は、光ディスク装置１にユーザから入力された命令に応じて光ディスク装置１の各部を制御する。
【００３２】
なお、実際の光ディスク装置では、読取時に、レーザ光の照射時間を光ディスクのトラックの中心に合わせるトラッキングサーボ制御と、レーザ光の合焦時間を光ディスクの記録面に合わせるフォーカスサーボ制御と、を行っているが、本発明の実施形態では図示を省略している。
【００３３】
ここで、ＰＵヘッド２、再生回路３、、音声処理部５、及び画像合成部１３が、本発明の「再生手段」に相当する。制御部６、ＯＳＤ処理部８、画像合成部１３が、本発明の「再生制御手段」に相当する。操作部１０及びリモコン１２が、本発明の「操作手段」に相当する。
また、この実施形態では、表示器としてテレビジョン１０１を用いているが、実施の際は、モニタでも構わない。
【００３４】
図２は、光ディスク１００の記憶領域を示す図である。光ディスク１００の記憶領域は、その内周から外周にかけて、リードイン領域９２、データ領域９３、リードアウト領域９４に分けられている。
リードイン領域９２は、光ディスク１００上のデータ領域９３に記録されているデータのＴＯＣデータが記録されている領域である。このＴＯＣデータには、保存されたデータがファイナライズされているかどうかの情報、データが保存された日付、保存されたデータのタイトル情報、保存されたデータの光ディスク１００上のアドレス情報などが含まれている。このリードイン領域９２には、予め記録されていて光ディスク１００の個体を一意に識別するＩＤが記録されている。
【００３５】
データ領域９３は、保存されたデータが記録されている領域である。
【００３６】
リードアウト領域９４は、保存されたデータがファイナライズされた場合に作成される領域である。このファイナライズとは、他の光ディスク装置と互換性を持つようにするために記録情報を整えるためのプロセスである。ファイナライズを行うことにより、他の光ディスク装置においても光ディスク１００の再生が可能となる。
【００３７】
この実施形態では、再生経過情報とその画像を記憶部１１に記録する第１の場面と、記憶部１１に記録されている再生経過情報の指定時間とその画像を表示してタイムサーチ再生する第２の場面と、に分かれる。
【００３８】
まず、第１の場面について説明する。
図３は、本発明の実施形態である光ディスク装置の制御部６が行う動作を示すフローチャートである。この動作は、ユーザが再生キーを押下した時の動作である。
【００３９】
再生キーが押下されると、制御部６は、再生動作を開始する（Ｓ１）。これにより、ユーザは、テレビジョン１０１において、音声処理部５及び画像合成部１３から出力された再生画像信号に基づく画像、及び再生音声信号に基づく音声を視聴する。
【００４０】
そして、この再生中（Ｓ２判定否定）、制御部６は、上記の登録キーが押下されたかどうか判定する（Ｓ３）。
【００４１】
そして、再生中に登録キーが押下されると、制御部６は、登録キーで指定された指定時間と、その指定時間で再生される画像と、を記憶部１１に対応付けて記録する（Ｓ４）。そして、制御部６はＳ２に戻り処理を継続する。Ｓ４について詳述すると、再生回路３は、制御部６の指示に基づいて、再生回路３を流れるＭＰＥＧのストリームから１枚のＩピクチャのみ切りだし、そのＩピクチャを制御部６に伝送する。これにより、制御部６は、指定時間で再生される画像を取得する。制御部６は、Ｓ４において、この画像を記憶部１１に記録する。
なお、この実施形態では、静止画像のＩピクチャを記憶部１１に記録しているが、実施の際は、動画像でも構わない。動画像の場合、第２の場面における後述の図６のＳ１０３において、ユーザは、一層確実に、所望のシーンからタイムサーチ再生することができる。
【００４２】
ここで、Ｓ３及びＳ４では、ユーザが再生中に上記の登録キーによって指定時間を登録できる状態となっている。
【００４３】
図４は、ユーザが指定時間を指定して登録するタイミングを時系列で表した図である。図５は、記憶部１１の記憶内容を示す図である。ユーザは、光ディスク１００の再生中、例えば図４に示すタイミングで上記の登録キーを押下する。これにより、Ｓ４において、指定時間を示す再生経過情報と、指定時間で再生される画像と、が対応付けて記憶部１１に登録される。
【００４４】
これにより、第２の場面における後述の図６のＳ１０３において、登録した指定時間と、その指定時間で再生されている所望のシーンと、がテレビジョン１０１で表示される（後述の図７参照）。よって、ユーザは、所望のシーンからタイムサーチ再生することができる。従って、タイムサーチ再生の利用率が向上する。
また、記憶部１１は、ＥＥＰＲＯＭで構成されているので、記憶部１１に登録された内容は、電源がオフされても装置本体に保持される。
【００４５】
なお、この実施形態では、指定時間を再生経過情報として記憶部１１に登録しているが、実施の際は、光ディスク１００のアドレスを再生経過情報として記憶部１１に登録しても構わない。
【００４６】
停止キーの押下または再生データのストリームが終端に到達することによって再生が終了すると、制御部６は、再生動作を終了する（Ｓ５）。
【００４７】
そして、制御部６は、再生中に指定時間が登録されたかどうかを判定する（Ｓ６）。この判定は、再生中に指定時間が１つ登録された場合に制御部６がフラグを内臓のレジスタ（不図示）に立てておき、Ｓ６においてそのフラグが立っているかどうかを制御部６が確認することにより行われる。
【００４８】
再生中に指定時間が登録されていなければ、制御部６は、本処理を終了する。
【００４９】
一方、再生中に指定時間が登録されれば、制御部６は、光ディスク１００のリードイン領域９２に予め記録されていて光ディスク１００の個体を一意に識別するＩＤを、光ディスク１００から取得して、図５に示すように記憶部１１に記録する（Ｓ７）。ここで、記録したＩＤは、Ｓ１０２で使用される。
【００５０】
次に、第２の場面について説明する。
図６は、本発明の実施形態である光ディスク装置の制御部６が行う動作を示すフローチャートである。この動作は、ユーザが再生キーを押下した時の動作である。
【００５１】
再生キーが押下されると、制御部６は、現在装置本体１にセットされている光ディスクのリードイン領域をＰＵヘッド２によって調査する（Ｓ１０１）。これにより、制御部６は、この光ディスクのリードイン領域に記録されているＩＤを再生回路３を介して取得する。
【００５２】
制御部６は、現在装置本体１にセットされている光ディスクのＩＤと、記憶部１１に記録されているＩＤと、の両ＩＤが一致するかどうかを判定する（Ｓ１０２）。この判定は、指定時間を登録した光ディスクと現在装置本体１にセットされている光ディスクとが同一の光ディスクであるかどうかを判定している。同一の光ディスクでなければ、第１の場面で登録した指定時間を表示しても意味がなく、却ってユーザを混乱させるためである。
【００５３】
両ＩＤが一致していれば、制御部６は、記憶部１１に記録されている再生経過情報の指定時間とその再生経過情報に対応する画像とを示すＯＳＤ表示信号を生成して出力するようＯＳＤ処理部８に指示する（Ｓ１０３）。詳述すると、制御部６は、記憶部１１に記録されている再生経過情報の指定時間とその再生経過情報に対応する画像とをＯＳＤ処理部８のフラッシュメモリに記録する。ＯＳＤ処理部８は、ＯＳＤ表示信号を生成して画像合成部１３に出力する。画像合成部１３は、このＯＳＤ表示信号をアナログの再生画像信号に変換し、外部のテレビジョン１０１に出力する。これにより、テレビジョン１０１において、図７に示す指定時間の選択画面が表示される。
【００５４】
図７は、指定時間の選択画面の表示例を示す図である。ユーザは、図７の選択画面を見ながら、指定時間の一覧から１つの指定時間を、選択キーで選択入力する。この際、各指定時間毎に、対応する画像を表示しているので、ユーザは、所望のシーンが再生される指定時間を選択入力することができる。
【００５５】
そして、制御部６は、選択入力された指定時間から再生するようＰＵヘッド２に指示する（Ｓ１０４）。そして、制御部６は、本処理を終了する。
これにより、ユーザは、所望のシーンからタイムサーチ再生することができる。従って、タイムサーチ再生の利用率も向上する。
【００５６】
なお、Ｓ１０３では、制御部６がＯＳＤ表示信号を生成して表示部９に出力しても構わない。この場合、表示部９において、図７に示す指定時間の選択画面が表示される。
【００５７】
一方、Ｓ１０２において両ＩＤが一致していないと判定すると、制御部６は、本処理を終了する。即ち、制御部６は、ＯＳＤ処理部８が上記のＯＳＤ表示信号を生成して出力することを禁止している。これにより、指定時間を登録した光ディスクと現在装置本体１にセットされている光ディスクとが同一の光ディスクである場合のみ、第１の場面で登録した指定時間を第２の場面で表示させている。そのため、間違った表示によりユーザを混乱させずに済む。
【図面の簡単な説明】
【００５８】
【図１】本発明の実施形態である光ディスク装置の主要な構成を示すブロック図
【図２】光ディスク１００の記憶領域を示す図
【図３】本発明の実施形態である光ディスク装置の制御部６が行う動作を示すフローチャート
【図４】ユーザが指定時間を指定して登録するタイミングを時系列で表した図
【図５】記憶部１１の記憶内容を示す図
【図６】本発明の実施形態である光ディスク装置の制御部６が行う動作を示すフローチャート
【図７】指定時間の選択画面の表示例を示す図
【符号の説明】
【００５９】
１−光ディスク装置
２−ピックアップヘッド
３−再生回路
４−画像処理部
５−音声処理部
６−制御部
８−ＯＳＤ処理部
９−表示部
１０−操作部
１１−記憶部
１２−リモコン
１３−画像合成部
９２−リードイン領域
９３−データ領域
９４−リードアウト領域
１００−光ディスク
１０１−テレビジョン
【図１】
2008159143.tif 000003
【図２】
2008159143.tif 000004
【図３】
2008159143.tif 000005
【図４】
2008159143.tif 000006
【図５】
2008159143.tif 000007
【図６】
2008159143.tif 000008
【図７】
2008159143.tif 000009